(57)【要約】【課題】使用者に対して芳香を発することでリラックスしてマッサージを行わせることのできる香り発生器を備えたマッサージ機（特に椅子型マッサージ機）を提供する。【解決手段】本発明のマッサージ機１は、使用者の施療部をマッサージするエアバッグ２５とエアポンプ２０とを備えたマッサージ機であって、マッサージ機１には、使用者へ付与されるマッサージ効果を高めるための付帯機構が備えられており、付帯機構は、エアポンプ２０からの高圧空気を利用して芳香を発生させる香り発生器２１を有している。特に、エアポンプ２０からの高圧空気をエアバッグ２５側へ送る送出口を有する切換弁２４と、切換弁２４の送出口とエアバッグ２５を連結する注入チューブ２２とを有すると共に、エアポンプ２０からの高圧空気を付帯機構側へ送る送出口を有する切換弁２４と、切換弁２４の送出口と付帯機構を連結する注入チューブ２２とを有する。【選択図】図２
2020156861.tif 000002
【特許請求の範囲】
【請求項１】
使用者の施療部をマッサージするエアバッグと前記エアバッグ内に注入する高圧空気を発生させるエアポンプとを備えたマッサージ機であって、
前記マッサージ機には、使用者へ付与されるマッサージ効果を高めるための付帯機構が備えられており、
前記付帯機構は、前記エアポンプから供給される高圧空気を利用して芳香を発生させる香り発生器を有していることを特徴とする香り発生器を備えたマッサージ機。
【請求項２】
前記エアポンプからの高圧空気をエアバッグ側へ送る送出口を有する切換弁と、前記切換弁の送出口とエアバッグを連結する注入チューブとを有すると共に、
前記エアポンプからの高圧空気を付帯機構側へ送る送出口を有する切換弁と、前記切換弁の送出口と付帯機構を連結する注入チューブとを有する
ことを特徴とする請求項１に記載の香り発生器を備えたマッサージ機。
【請求項３】
前記付帯機構として、使用者の側方に香り発生器が配備されていることを特徴とする請求項１又は２に記載の香り発生器を備えたマッサージ機。
【発明の詳細な説明】
【技術分野】
【０００１】
本発明は、香り発生器を備えたマッサージ機に関するものであって、特に椅子型マッサージ機に備えられた香りマッサージ機の構造に関する。
【背景技術】
【０００２】
例えば、特許文献１などには、香りによる効果とマッサージによる効果との相乗効果を得ることを目的として、香り発生器を備えたマッサージ機（椅子型マッサージ機）が開示されている。
【先行技術文献】
【特許文献】
【０００３】
【特許文献１】特開２０１８−１８３５６１号公報
【発明の概要】
【発明が解決しようとする課題】
【０００４】
上記した特許文献１に開示された椅子型マッサージ機においては、例えばアロマディフューザ等の香り放出器を備えるので、例えば「ローズマリー」の香りが放出されたときには、「ローズマリー」の香りに結びつけられたマッサージ内容「安らかな振動」が実行され、「ユーカリ」の香りが放出されたときには、「ユーカリ」の香りに結びつけられたマッサージ内容「強くエネルギッシュな振動」が実行されることになるので、香りによる効果とマッサージによる効果との相乗効果を得ることができるとされている。
【０００５】
しかしながら、特許文献１を精査するに、香り放出器の詳細な構成の開示はなく、どのように香り放出器を設けたら良いかは不明なままである。特許文献２には、香り放出器を制御するためのブロック図が開示されているが、ブロック図以上の情報（制御の手順以上の情報）の開示はなく、香り放出器がどのような構造をしているかは不明であり、当業者といえども、特許文献１の情報のみで香り放出器に関する技術を実現することは不可能である。
【０００６】
そこで、本発明は、使用者に対して芳香を発することでリラックスしてマッサージを行わせることのできる香り発生器を備えたマッサージ機（特に椅子型マッサージ機）を提供することを目的とする。
【課題を解決するための手段】
【０００７】
前記目的を達成するため、本発明においては以下の技術的手段を講じた。
本発明のマッサージ機は、使用者の施療部をマッサージするエアバッグと前記エアバッグ内に注入する高圧空気を発生させるエアポンプとを備えたマッサージ機であって、前記マッサージ機には、使用者へ付与されるマッサージ効果を高めるための付帯機構が備えられており、前記付帯機構は、前記エアポンプから供給される高圧空気を利用して芳香を発生させる香り発生器を有していることを特徴とする。
【０００８】
好ましくは、前記エアポンプからの高圧空気をエアバッグ側へ送る送出口を有する切換弁と、前記切換弁の送出口とエアバッグを連結する注入チューブとを有すると共に、前記エアポンプからの高圧空気を付帯機構側へ送る送出口を有する切換弁と、前記切換弁の送出口と付帯機構を連結する注入チューブとを有するとよい。
好ましくは、前記付帯機構として、使用者の側方に香り発生器が配備されているとよい。
【発明の効果】
【０００９】
本発明の技術によれば、発せられた芳香により、使用者はリラックスしてマッサージを施術されることが可能となる。
【図面の簡単な説明】
【００１０】
【図１】本発明におけるマッサージ機の前方斜視図である。
【図２】本発明におけるマッサージ機の後方斜視図である（ケースの一部を省略し、内部構造が見えるようにしている）。
【図３】本発明におけるマッサージ機の内部構造（エアポンプ近傍）を拡大して示した図である。
【図４】香り発生器の構造を示した分解斜視図である。
【発明を実施するための形態】
【００１１】
以下、本発明の実施形態を、図を基に説明する。なお、マッサージ機の一例として、椅子型マッサージ機１を例示している。
図１に示したマッサージ機１は、使用者の臀部を下方から支持する座部２と、この座部２の後部に設けられた背もたれ部３と、座部２の前部に設けられたフットレスト４とを有している。
【００１２】
座部２の下部には、このマッサージ機１を床面へ設置するための脚体５が設けられており、この脚体５によって座部２が所定高さに支持されるようになっている。
背もたれ部３は、その下端部が座部２の後部又は脚体５の後部に対して枢支され、前後揺動自在な状態に保持されている。この背もたれ部３は、脚体５内に配設されたリニアアクチュエータ機構などの姿勢変更機構により、座部２に対してリクライニング可能となっている。
【００１３】
また、背もたれ部３の内部には、揉みや叩き、或いは振動などのマッサージ動作を行う背部マッサージ機構６が上下移動自在に設けられている。
背もたれ部３の両側には側部マッサージ機構７が設けられている。この側部マッサージ機構７は、エアバッグ２５の膨出と収縮とを所定リズムで繰り返させるなどすることで、背もたれ部３にもたれ掛かった使用者の両腕や両肩の側部を左右から押圧してマッサージするように構成されている。
【００１４】
座部２の両側には、アームレスト８が設けられており、このアームレストの上部は、使用者の腕を挿入可能な大きさの空間９が形成されている。この空間９内には空気圧で膨張可能なエアバッグ２５が配備されており、空間９内の腕を押圧マッサージ可能とされている。
フットレスト４は、座部２に着座した使用者の下肢（左右の脚のふくらはぎ〜足）を支持可能にしたものである。このフットレスト４には、使用者の下肢を支持する面（前面）に、使用者の下肢を各別に嵌め入れ可能にする左右一対の保持溝１０が形成されている。これら左右の保持溝１０の内部対向面には足マッサージ機構１１が内蔵されている。
【００１５】
この足マッサージ機構１１は、左右一対の揉み板が所定リズムで近接離反を繰り返すことで、当該揉み板間に嵌め入れられた使用者の下肢を左右から押圧してマッサージするように構成されたものである。
加えて、本実施形態のマッサージ機１には、座部２及び背もたれ部３を左右から覆うように設けられたカバー体１２を有している。このカバー体１２はシェル状であり、座部２に座った使用者の左右の視界を遮り、独立した空間でリラックスした気分をもって、マッサージを行うことが可能となる。
【００１６】
このカバー体１２には、前述した側部マッサージ機構７が設けられており、その側部マッサージ機構７の前方でカバー体１２の内側には、当該椅子型マッサージ機１を操作するための操作盤１３が配備されている。この操作盤１３は液晶タッチパネルで構成されており、表示される様々な操作ボタンをタッチすることで、椅子型マッサージ機１を操作可能とされている。
【００１７】
さて、本発明の椅子型マッサージ機１には、様々な付帯機構が配設されている。ここでいう付帯機構とは、マッサージ機１において、使用者の施療部をマッサージするマッサージ機１構、マッサージ機１の姿勢を変更する姿勢変更機構などの他に設けられた機構のことである。
付帯機構としては、使用者へ付与されるマッサージ効果を高めるための機構が該当し、例えば、マッサージ機構に連動して動作しリラックス効果を有する香りを発する「アロマ機構」や、マッサージ機１の内部に搭載された音楽又は外部から入力された音楽（環境音を含む）を鳴らす「音楽再生機構」、音楽再生機構により鳴っている音楽に合わせて、マッサージ機１構を動かす「音楽連動機構」、マッサージ機１に座った使用者に対して効果的な光を照射する「光学ライト機構（ムードライト機構）」など、様々なものが考えられる。また、付帯機構として、使用者に温熱効果を付与するための温熱機構（温熱ヒータ）や冷温風送風機構なども考えられる。温熱ヒータは、座部２や背もたれ部３に埋め込まれるようにして配設されている。
【００１８】
本発明の椅子型マッサージ機１では、付帯機構のうち「アロマ機構」に特徴があるため、この機構に焦点を当て、説明を進める。
図２などに示すようにアロマ機構は、高圧空気（動圧でも静圧でもよい）を送り出すエアポンプ２０と、香りを発生する香り発生器２１と、両者を連結するエアチューブ（注入チューブ２２）とから構成される。エアチューブは一旦切換弁２４に送られ、切換弁２４を介して、香り発生器２１に連結されている。
【００１９】
エアポンプ２０は、外気を吸い込んで所定の圧力に高めた上で、高圧とされた空気をエアバッグ２５に送り込むものである。高圧の空気が装入されたエアバッグ２５は膨らむことで、施療部に対して押圧マッサージを行うことになる。
エアポンプ２０には高圧とされた空気を導出する注入チューブ２２の一方側接続されており、この注入チューブ２２の他方側は複数個の切換弁２４に接続されている。
【００２０】
切換弁２４は、具体的には電磁弁で構成されており、図示しない制御部により適宜切り替えられて、様々なエアバッグ２５へと空気を供給する。例えば、使用者の肩の側部に配備されたエアバッグ２５に高圧空気を供給可能とする切換弁２４がＯＮの状態とされると、使用者の肩の側方に対して押圧マッサージが施される。
使用者の腰部の側部に配備されたエアバッグ２５（側部マッサージ機構７）に高圧空気を供給可能とする切換弁２４がＯＮの状態とされると、使用者の腰部の側方に対して押圧マッサージが施される。使用者の臀部の下方（座部２）に配備されたエアバッグ２５に高圧空気を供給可能とする切換弁２４がＯＮの状態とされると、使用者の臀部に対して下側から押圧マッサージが施される。
【００２１】
各エアバッグ２５に供給された高圧空気は、切換弁２４のうち排出弁をＯＮにすることにより切換弁２４を介して外部に排出される。
以上の動作を繰り返すことにより、使用者の各施療部に対して、エアバッグ２５による押圧マッサージが行われることとなる。どのエアバッグ２５をどのくらい膨らますか、また、各エアバッグ２５をどの順番で膨らますかは、制御部内に格納されたプログラムにより制御される。
【００２２】
さて、図３に示す如く、本実施形態の椅子型マッサージ機１には、切換弁２４が複数個搭載されており、エアポンプ２０から延びてきた注入チューブ２２が接続されており、各切換弁２４からそれぞれのエアバッグ２５に注入チューブ２２が連結されるものとなっている。各切換弁２４がＯＮ、ＯＦＦすることにより、使用者の肩部に対応するエアバッグ２５や下肢をマッサージするエアバッグ２５が拡縮することになる。
【００２３】
また、本実施形態の場合、上記と同様な構成で、エアポンプ２０から延びてきた注入チューブ２２が切換弁２４に接続されており、その切換弁２４の送出口から更に香り発生器２１に向けて注入チューブ２２が連結されるものとなっている。言い換えれば、切換弁２４の送出側に注入チューブ２２の一方端が連結されており、他方端が、後述する香り発生器２１へと繋がるようになっている。
【００２４】
香り発生器２１へと繋がる注入チューブ２２は、椅子型マッサージ機１内のどの部分を通って当該香り発生器２１に達するか（配線）は自由ではあるが、例えば、椅子型マッサージ機１の背部を上方へ向け延びてゆき、カバー体１２の内側壁に開口３４された孔部を介してカバー体１２内部に入り込み、カバー体１２内部を通って、後述する香り発生器２１へ繋がるように配設されていてもよい。
【００２５】
注入チューブ２２は直径１０ｍｍ程度の大きさで、可撓性を有するプラスチック製とされるとよい。
図１や図４などに示されているように、香り発生器２１は、内部に香り発生体３５が内蔵されており、その部分を空気（切換弁２４からの排出空気）が通過することで、芳香を発することができる構造となっている。
【００２６】
図１、図２に示す如く、香り発生器２１は、カバー体１２の内壁側に設けられており、使用者の胴部の両側に各一つずつ配設されている。この位置から芳香が発せられることで、カバー体１２内（シェル体内）に芳しい香りが充満し、使用者は非常にリラックスした気持ちとなる。
香り発生器２１から発せられる香りは、使用者がリラックスできるものであれば、どのようなものでもよく、香りは、ベルガモット、マンダリン、タイム、金木犀、グレープフルーツ、バニラ、ローズマリー、ローズウッド、ペパーミント、ミント、ユーカリなどのいずれでもよい。日本古来の香りである、白檀、伽羅、梅が香などでもよく、六種の薫物（黒方、梅花、荷葉、菊花、侍従、落葉）などでもよい。
【００２７】
香り発生器２１の構造は、様々なものが想定できるが、本発明の椅子型マッサージ機１における香り発生器２１は、図４に示すような構造となっている。
図４に示すように、３つの部材から構成されており、下方側（図４の左側）は下ケース体３０とされている。下ケース体３０は、底浅で有底で上方開放状の円筒体とされている。言い換えれば、横向きとされたシャーレ状とされている。下ケース体３０の側壁外周には、周方向に等間隔で三方に突出部３１が形成されている。突出部３１の中央には、カバー体１２の内壁部に固定するためのネジ穴３２が穿孔されている。
【００２８】
下ケース体３０の上方開口３４からは、上ケース体３３が嵌まり込むようになっている。上ケース体３３も底浅のシャーレ形状であり、下ケース体３０を反転したものとなっている。すなわち、底部が開放状とされ、上部が閉塞されている、上ケース体３３の上壁には複数の開口３４が形成されており、この開口３４から芳香が外部に放出されるものとなっている。上ケース体３３は、下ケース体３０の内側に嵌まり込んだ上で、周方向に回動可能となっている。
【００２９】
上ケース体３３と下ケース体３０との間、言い換えれば、下ケース体３０に上ケース体３３が嵌まり込んだ状態で内部に形成された空間には、香り発生体３５が装入されるものとなっている。
本実施形態の場合、香り発生体３５も有底且つ上方非開放の円筒形状となっており、内部に香り発生源が詰められたものとなっている。香り発生源としては、芳香物そのものを利用してもよく、芳香物から抽出した香りのエキスを染み込ませた布体や綿体を用いてもよい。
【００３０】
香り発生体３５の底壁（下壁）には複数の開口３４が穿孔されており、香り発生体３５の上壁にも複数の開口３４が穿孔されている。それ故、香り発生体３５の下方から上方へ（図４では左から右へ示す破線のように）空気が流通することによって、芳香が発生することとなる。
なお、前述した如く、上ケース体３３は、下ケース体３０の内側に嵌まり込んだ上で、周方向に回動可能となっているため、上ケース体３３の開口３４と、香り発生体３５の上壁の開口３４との重合面積が可変となるようになっている。それ故、上ケース体３３を下ケース体３０に対して回動させ、上ケース体３３の開口３４と香り発生体３５の上壁の開口３４とを完全に貫通状態とすることで、芳香を最大限に外部に対して放出することが可能となる。
【００３１】
逆に、上ケース体３３を下ケース体３０に対して先ほどとは逆に回動させ、上ケース体３３の開口３４と香り発生体３５の上壁の開口３４とが非貫通若しくは少ししか貫通しない状態とすることで、芳香を放出しなくしたり、少しの芳香を外部に対して放出することが可能となる。
香りの元（香料）が異なる複数の香り発生体３５を用意し、必要に応じて、交換することで、使用者は、自分の気に入った香りを楽しむことが可能となる。
【００３２】
以上のような香り発生器２１（アロマ機構）を有することで、使用者は芳香を嗅ぎつつリラックスした気持ちで、マッサージを施術されることが可能となる。
すなわち、制御部によりエアポンプ２０を作動させ、肩部や腰部に対面するように存在するエアバッグ２５を膨張させ、施療部に対して押圧するような動作（押圧マッサージ）を行わせる。その後、制御部により、香り発生器２１へと連通する切換弁２４を操作させ、エアバッグ２５内の高圧空気を注入チューブ２２へと導く。注入チューブ２２へと導かれた空気は、使用者の両側に配備された香り発生器２１へと導かれ、香り発生体３５を通過し、芳香が外部（特にカバー体１２内）に排出されるようになる。芳香で満たされたカバー体１２に座る使用者は、リラックスした気持ちでマッサージを受けることが可能となる。なお、エアバッグ２５から香り発生器２１への高圧空気の供給は連続的でもよく断続的でも良い。
【００３３】
今回開示された各実施形態は、すべての点で例示であって制限的なものではないと考えられるべきである。特に、今回開示された各実施形態において、明示的に開示されていない事項、例えば、運転条件、各種パラメータ、構成物の寸法、重量、体積などは、当業者が通常実施する範囲を逸脱するものではなく、通常の当業者であれば、容易に想定することが可能な値を採用している。
【００３４】
例えば、香り発生器２１を備えるマッサージ機１として、椅子型マッサージ機１を例示して説明を行ったが、マッサージ機１としては、載置型マッサージ機１でもよく、手持ち型マッサージ機１であってもよい。
また、香り発生器２１を、エアバッグ２０からの排気により作動させるように構成しても良い。すなわち、制御部によりエアポンプ２０を作動させ、肩部や腰部に対面するように存在するエアバッグ２５を膨張させ、施療部に対して押圧するような動作を行わせる。その後、制御部により切換弁２４を操作させ、エアバッグ２５内の高圧空気を排気チューブへと導く。排気チューブへと導かれた空気は、使用者の両側に配備された香り発生器２１へと導かれ、香り発生体３５を通過し、芳香が外部（特にカバー体１２内）に排出されるようにしても良い。
【符号の説明】
【００３５】
１    マッサージ機（椅子型マッサージ機）
２    座部
３    背もたれ部
４    フットレスト
５    脚体
６    背部マッサージ機構
７    側部マッサージ機構
８    アームレスト
９    空間
１０  保持溝
１１  足マッサージ機構
１２  カバー体
１３  操作盤
２０  エアポンプ
２１  香り発生器
２２  注入チューブ
２４  切換弁
２５  エアバッグ
３０  下ケース体
３１  突出部
３２  ネジ穴
３３  上ケース体
３４  開口
３５  香り発生体
【図１】
2020156861.tif 000003
【図２】
2020156861.tif 000004
【図３】
2020156861.tif 000005
【図４】
2020156861.tif 000006